(57)【要約】【課題】脚付きの家具や台座において、１つの脚のゴム製のパットが剥がれ落ちたり、１つの脚が床の窪みにより接地できない場合でも、家具や台座を安定させる。【解決手段】一つおきの脚の接地面を外側で結ぶ直線が、脚より上部を床面に鉛直に投影した面の輪郭に接するかまたは外側になるように脚を配置する。【選択図】図１
2007136139.tif 000002
【特許請求の範囲】
【請求項１】
一つおきの脚の接地面を外側で結ぶ直線が、脚より上部を床面に鉛直に投影してできた面の輪郭に接するかまたは外側になるように脚を配置したことを特徴とする脚付きの家具。
【請求項２】
一つおきの脚の接地面を外側で結ぶ直線が、脚より上部を床面に鉛直に投影してできた面の輪郭に接するかまたは外側になるように脚を配置したことを特徴とする脚付きの台座。
【発明の詳細な説明】
【技術分野】
【０００１】本発明は、脚を持つ家具または台座に関し、特に家具などを安定して設置するための家具または台座の構造に関する。
【背景技術】
【０００２】背景技術として、脚の数が５本以上とした家具を提案したものがある。
【実用新案文献１】
実用新案平８−３４９５号公報
【発明の開示】
【発明が解決しようとする課題】
【０００３】テーブルや椅子など脚を持った家具は、脚の数が４本であるのが一般的である。【０００４】これらの脚の底には床が傷つかないようにゴム製のパットをあてたものがあるが、これらの家具を引きずることによりゴム製のパットが劣化し、ゴム製のパットが剥がれ落ちることがある。【０００５】この様な場合は、家具は不安定となり、テーブルに手を着いたり、椅子に腰掛けるたびに傾いたりすることがある。【０００６】同様に、床に窪みがあり４本の足が同時に接地できない場合も、家具は不安定となり、テーブルに手を着いたり、椅子に腰掛けるたびに傾いたりすることがある。【０００７】これらの傾きは、家具の使用において不快なものであり、かつ家具が傾くことにより家具上の機器の転落や家具の転倒や家具に寄りかかった人の転倒を起こす可能性がある。【０００８】よって、脚付きの家具において、１つの脚のゴム製のパットが剥がれ落ちたり、１つの脚が床の窪みにより接地できない場合でも、家具が安定であることが望まれている。【０００９】図３に背景技術の課題を図示する。【００１０】図３は、背景技術に基づく６脚のテーブルの側面図を示す。【００１１】図３において、１はテーブル面であり、５はゴム製パットであり、６はゴム製パットが剥がれ落ちた脚であり、７はゴム製パットが剥がれ落ちた脚６に隣接する脚である。【００１２】図３に示すとおり、背景技術においてテーブル一つの脚のゴム製パットが剥がれ落ちた場合、ゴム製パットが剥がれ落ちた脚６の上方から下に押す力９が加わると、ゴム製パットが剥がれ落ちた脚６に隣接する脚７の底面を回転の中心８とする回転力１１が回転の中心８と押す力９の作用点を結ぶ線１０に垂直に生じる。【００１３】一方、図３に示すテーブルには質量があり、重心１２にその重量に相当する重力１３が働いているとみなすことができる。【００１４】これによりテーブルには、回転の中心８と重心１２を結ぶ直線１４に垂直にテーブルを安定させる力１５が生じる。【００１５】テーブルを安定させる力１５の力のモーメントが回転力１１の力のモーメントより大きい場合テーブルは傾くことはないが、回転力１１の力のモーメントがテーブルを安定させる力１５の力のモーメントより大きい場合、テーブルはゴム製パットが剥がれ落ちた脚６の方向に傾くことになる。【００１６】背景技術は、総ての脚にゴム製パットが装備されている場合は安定であるが、一つの脚のゴム製パットが剥がれ落ちると不安定となる。【００１７】このように背景技術は、一つの脚のゴム製パットが剥がれ落ちたり窪みにはまった場合の家具の安定性を保証していない。
【課題を解決するための手段】
【００１８】脚付きの家具または台座において、一つおきの脚の接地面を外側で結ぶ直線が、脚より上部を床面に鉛直に投影した面の輪郭に接するかまたは外側になるように脚を配置する。
【発明の効果】
【００１９】図４に本発明の作用を説明する。【００２０】図４は、一つの脚のゴム製パットが剥がれ落ちた６脚のテーブルの側面図を示す。【００２１】図４において、１はテーブル面であり、５はゴム製パットであり、６はゴム製パットが剥がれ落ちた脚であり、７はゴム製パットが剥がれ落ちた脚６に隣接する脚である。【００２２】また図４中、８は回転の中心であり、９はゴム製パットが剥がれ落ちた脚６の上方から下に押す力であり、１０は回転の中心８と押す力９の作用点を結ぶ直線であり、１２はテーブルの重心であり、１３は重心１２に掛かる重力であり、１４は回転の中心８と重心１２を結ぶ直線であり、１５は回転の中心８と重心１２を結ぶ直線１４に垂直なテーブルを安定させる力である。【００２３】図４においてテーブルは、ゴム製パットが剥がれ落ちた脚６に隣接する脚７がテーブルの縁にあり、上方から下に押す力９が回転の中心８と押す力９の作用点を結ぶ直線１０の延長線上にあるため、押す力９からはテーブルを回転させる力は生じない。【００２４】よってゴム製パットが剥がれ落ちた脚６の接地点である回転の中心８が、テーブルの縁の直下にある場合は、テーブルは傾くことはない。【００２５】また回転の中心８がテーブルの縁の直下より外側にある場合には、押す力９は回転の中心８の周りにテーブルを安定させる方向に回転力を生じるため、テーブルは安定する。
【発明を実施するための最良の形態】
【００２６】図１に請求項１を四角形のテーブルに施した最良の形態の上面図を示す。【００２７】図１において、１はテーブル面であり、２は支柱であり、３は脚であり、４は脚台座であり、５はゴム製パットである。【００２８】また図２に請求項１を四角形のテーブルに施した最良の形態の側面図を示す。【００２９】図５は本発明を四角形のテーブルに施した最良の形態における一つおきの脚の接地面を外側で結ぶ直線を視覚化したものであり、図中の二点鎖線１６が一つおきの脚の接地面を外側で結ぶ直線を示す。【００３０】図５によれば、本発明の最良の実施形態では、一つおきの脚の接地面を外側で結ぶ直線１６が総てテーブル面１の外側に位置する。【００３１】このため、ある一つのゴム製パット５が剥がれ落ちた場合に、テーブル面１を上から下に押しても、テーブルが傾くことは無い。【００３２】図６に請求項２を四角形の台座に施した最良の形態の側面図を示す。【００３３】図６において、１７は台座面であり、４は脚台座であり、５はゴム製パットである。【００３４】図６においても、一つおきのゴム製パット５の接地面を外側で結ぶ直線を台座面１６の外側に位置するようにゴム製パット５を配置することで、いずれか一つのゴム製パット５が剥がれ落ちても安定する台座を提供することができる。
【産業上の利用可能性】
【００３５】本発明は、椅子やテーブルなど脚を持つ家具や脚立や脚付きパレットなど脚付きの台座に利用可能である。
【図面の簡単な説明】
【００３６】
【図１】本発明を四角形のテーブルに施した最良の形態の上面図。
【図２】本発明を四角形のテーブルに施した最良の形態の側面図。
【図３】背景技術の課題を説明する図。
【図４】本発明の作用を説明する図。
【図５】本発明を四角形のテーブルに施した最良の形態の作用を説明する図。
【図６】本発明を台座に施した最良の形態の側面図。
【符号の説明】
【００３７】１は、テーブル面。
２は、支柱。
３は、脚。
４は、脚台座。
５は、ゴム製パット。
６は、ゴム製パットが剥がれ落ちた脚。
７は、ゴム製パットが剥がれ落ちた脚６に隣接する脚。
８は、回転の中心。
９は、上方から下に押す力。
１０は、回転の中心８と押す力９の作用点を結ぶ線。
１１は、回転力。
１２は、重心。
１３は、テーブルの重量に相当する重力。
１４は、回転の中心８と重心１２を結ぶ直線。
１５は、テーブルを安定させる力。
１６は、一つおきの脚の接地面を外側で結んだ直線。
１７は、台座面。
【図１】
2007136139.tif 000003
【図２】
2007136139.tif 000004
【図３】
2007136139.tif 000005
【図４】
2007136139.tif 000006
【図５】
2007136139.tif 000007
【図６】
2007136139.tif 000008